(57)【要約】【課題】  着呼電話装置から他へ転送する際、少なくとも発呼者の発信電話番号とダイヤル電話番号とを転送先に通知して、ダイヤルイン番号での着信転送、または二回目の転送の際に、二つの１１桁の電話番号を転送先に通知可能とする。【解決手段】  ＩＳＤＮの発サブアドレス領域に、１０進数の電話番号を１６進数に変換し、桁数を低減して番号設定する。【選択図】  図４
2006148771.tif 000002
【特許請求の範囲】
【請求項１】
ＩＳＤＮ回線におけるサブアドレス設定方法において、１０進数の電話番号を桁数の低減を可能とする、より大きな進数に変換して所定のサブアドレス領域に設定することを特徴とするＩＳＤＮ回線におけるサブアドレス設定方法。
【請求項２】
請求項1に記載のサブアドレス設定方法において、電話番号は「４ビット」およびそれ以上のビット数により「１６進数」およびそれ以上の進数に変換されることを特徴とするＩＳＤＮ回線におけるサブアドレス設定方法。
【請求項３】
請求項１に記載のサブアドレス設定方法において、電話番号は「１６進数」に変換され、各桁のオクテット位置にＩＡ５キャラクタコードを使用することを特徴とするＩＳＤＮ回線におけるサブアドレス設定方法。
【請求項４】
請求項２または請求項３に記載のサブアドレス設定方法において、サブアドレスに設定される変換後の電話番号間に一つの桁のオクテット位置をあけ、そこに予め定められた区切り符号を挿入することを特徴とするＩＳＤＮ回線におけるサブアドレス設定方法。
【請求項５】
ＩＳＤＮ回線におけるサブアドレス設定方法において、所定のサブアドレス領域に電話番号を設定する際、最大７ビットのコードを用いて最大１１桁の番号数字を最大９オクテットの所定コードに変換して設定することを特徴とするＩＳＤＮ回線におけるサブアドレス設定方法。
【請求項６】
ＩＳＤＮ回線を接続する電話装置において、所定のサブアドレス領域に１０進数の電話番号を設定する際、１０進数電話番号を、桁数低減を可能とする、より大きな進数に変換して設定する制御部を備えることを特徴とするＩＳＤＮ回線を接続する電話装置。
【請求項７】
請求項６に記載の電話装置において、制御部は、１０進数電話番号を「１６進数」に変換し、各桁のオクテット位置にＩＡ５キャラクタコードを使用し、かつサブアドレスに設定される変換後の電話番号間に一つの桁のオクテット位置をあけ、そこに予め定められた区切り符号を挿入することを特徴とするＩＳＤＮ回線を接続する電話装置。
【請求項８】
ＩＳＤＮ回線を接続する電話装置において、ＩＳＤＮ回線から着呼を受付けして、所定のサブアドレス領域に、ＩＡ５キャラクタコードによる１６進数の番号符号を検出した際、その番号符号、または所定の区切り符号が検出された場合はその区切り符号で区切られた番号符号を１０進数に変換して記録し画面表示する制御部を備えることを特徴とするＩＳＤＮ回線を接続する電話装置。
【発明の詳細な説明】
【技術分野】
【０００１】
本発明は、通信網を管理する事業会社のＩＳＤＮ回線に接続する電話装置で利用可能な発信者番号通知サービスで設定される発サブアドレス領域を用いて、着信転送において転送元電話機の番号通知ができるＩＳＤＮ回線におけるサブアドレス設定方法およびこの方法を用いた電話装置に関するものである。
【背景技術】
【０００２】
従来のＩＳＤＮ回線における発サブアドレス領域の設定方法およびこの方法を用いた電話装置は、例えば、特開２０００−４９９４７号公報（特許文献１）にＩＳＤＮ端末装置として開示されている。
【０００３】
このＩＳＤＮ回線における発サブアドレス設定を用いた端末装置では、ＩＳＤＮへ転送する際、発信元端末装置から受けた発信者番号をＩＳＤＮ回線での発呼に際して規定された発サブアドレス領域に設定し、自局の回線番号を所定の発番号領域に設定している。
【０００４】
図１は、発信側電話機１０が内線電話機５５に発呼した際に構内電話装置１５０により転送先電話機４０に転送される際の電話番号送信状態を示す説明図である。発信側電話機１０はアナログ電話網２０を介して、転送設定された内線電話機５５にダイヤルインシステムを用いて発呼する。転送先の転送先電話機４０はＩＳＤＮ３０を介して接続されている。
【０００５】
発信側電話機１０からの発呼を受けたアナログ電話網２０は、発呼回線の回線番号から発番号「０３−１２３４−５６７８」を知り、発呼により知らされた宛先番号「０３−１２３４−１１１３」を着番号として、予め設定されているダイヤルインの回線番号「０３−１２３４−１１１１」を有するアナログ回線を介して構内電話装置１５０に呼接続する。
【０００６】
構内電話装置１５０では、制御部１５２が、受けた着番号からメモリ部１５３により転送先番号「０６−７８９１−２３４５」へ転送設定されていることを知り、この呼の転送接続を行う。この際、この転送先番号を有する転送先電話機４０はＩＳＤＮ３０に収容されているので、構内電話装置１５０に接続されるＩＳＤＮ回線からＩＳＤＮ３０を介して発呼される。
【０００７】
この発呼の発番号は、構内電話装置１５０が有するＩＳＤＮ回線番号「０３−１２３４−１１１２」であり、着番号は転送先番号である。しかし、ＩＳＤＮ回線では発サブアドレス領域を有しており、構内電話装置１５０は、制御部１５２で発番号として受け取った発呼者番号「０３−１２３４−５６７８」を、発サブアドレス領域に設定する。
【０００８】
従って、転送先電話機４０の画面では、転送元になる発番号の構内電話装置１５０の回線番号「０３−１２３４−１１１２」と発呼者になる発信側番号「０３−１２３４−５６７８」とが表示される。
【０００９】
例えば、電話会社からのサービス情報では、ＩＳＤＮを含む回線で、発信者番号通知サービスとして「０＋（市外番号）＋（市内番号）＋（加入者番号）」が通知されるようになった。一方、ＩＳＤＮ回線の発サブアドレス領域は、２３オクテットが割り当てられ、３オクテットのヘッダーに続く２０オクテットが使用可能である。
【００１０】
また、別に、ＩＳＤＮでは、サブアドレス通知サービスがある。このサービスは、ダイヤルインサービスと同様なものであり、例えば代表番号を着番号とし、内線番号を着サブアドレス領域に設定する。従って、着呼を受けた電話装置は、着サブアドレス領域の内線番号を検出してその内線を呼び出すことができる。この電話番号領域は上記同様２０オクテットである。
【００１１】
図２では、「オクテット３」のプロトコル指定領域で「ＩＡ５キャラクタ」を指定した際、発サブアドレス領域の２０オクテットにＩＡ５キャラクタコードによる２０桁の番号が収納できることが示されている。すなわち、同一桁数である１０桁の電話番号が二つ収容できる。従って、図１における構内電話装置１５０では、発サブアドレス領域に、発呼者番号「０３−１２３４−５６７８」と最初の着番号「０３−１２３４−１１１３」とを収容することができる。
【００１２】
しかし、他方では、携帯電話機の電話番号で理解されるように、電話番号は最大１１桁と規定されている。従って、図３に示されるように、二つのうち一方の電話番号が１１桁である場合、合計して２１オクテット以上となるので、図２の２０オクテット領域に収納できない。
【００１３】
【特許文献１】特開２０００−４９９４７号公報
【発明の開示】
【発明が解決しようとする課題】
【００１４】
解決しようとする課題は、ＩＳＤＮ回線の発サブアドレス領域で２０オクテット分を全部使っても、最大１１桁と規定される二つの電話番号を収めることができないことである。
【課題を解決するための手段】
【００１５】
本発明によるＩＳＤＮ回線においてサブアドレスを設定する方法および電話装置は、サブアドレスに設定する１０進数の電話番号を、桁数の低減を可能とする、より大きな進数に変換して所定のサブアドレス領域に設定することを特徴としている。ここで、電話装置は、電話機などの通信端末装置、並びに、ボタン電話装置、電話交換機などの交換装置を含む。
【００１６】
例えば、電話番号は「４ビット」およびそれ以上のビット数により「１６進数」およびそれ以上の進数に変換されることが、桁数の低減に有効である。
【００１７】
しかし、電話番号は「１６進数」に変換され、各桁のオクテット位置にＩＡ５キャラクタコードを使用することとし、更に、サブアドレスに設定される変換後の電話番号間に一桁分のオクテット位置をあけ、そこに予め定められた区切り符号を挿入することが、従来からの構成の変更を最小にするので望ましい。
【００１８】
すなわち、本発明は、ＩＳＤＮ回線の発サブアドレス領域で最大１１桁と規定される二つの電話番号を収めるため、発信側で、ユーザ固有のプロトコル指定に基づき、最大７ビットのコードを用いて最大１１桁の番号数字を最大９オクテットの所定コードに変換して設定することを主要な特徴とする。この際、二つの電話番号は、所定のオクテット数または区切りコードを用いて分割できる。
【００１９】
従って、被呼側では、所定のオクテット数または区切りコードにより、発サブアドレス領域で受けたコードを二分割してそれぞれを逆変換し、従来の１０進数による番号表示が可能である。
【００２０】
例えば、最大７ビットのコードはＩＴＵ−Ｔ勧告に基づくＩＡ５キャラクタコードを使用し、１０進の数字による電話番号は１６進の数字文字符号に変換されたキャラクタコードによることが、従来の変換機能を利用できるので望ましい。
【発明の効果】
【００２１】
本発明のＩＳＤＮ回線における発サブアドレスの設定は、最大７ビットのコードを用いて最大１１桁の番号数字を所定のコードに変換して、最大９オクテットとして収容するので、電話会社の指定する領域の範囲に二つの最大１１桁を有する電話番号を収めることができるという利点がある。
【発明を実施するための最良の形態】
【００２２】
ＩＳＤＮ回線の発サブアドレス領域に最大１１桁と規定される二つの電話番号を収めるという目的を、１０進数の電話番号を「１６進数」に変換して桁数を低減すると共に、変換コードをＩＳＤＮ−ＢＲＩ（Basic Rate Interface）で指定される「ＩＡ５キャラクタコード」とすることにより、従来の構成に対して小規模の追加機能により実現した。
【００２３】
この機能は転送先で対応できることが必要であり、発信側装置としては、対応できない電話装置のため、アドレス設定として、ＩＳＯ（国際標準化機構）で標準化されているＯＳＩ（Open Systems Interconnection ）ネットワークのアドレス体系であるＮＳＡＰ（Network Service Access Point）と併用されている。
【００２４】
逆に、着呼先電話装置が本発明機能に対応できる場合には、ＩＳＤＮ−ＰＲＩ（Primary Rate Interface）においても適用することができる。
【００２５】
次に、図面を参照して説明するが、紙面の都合上、本発明に係る部分のみを示し、装置として必須機能でも、図示の省略がある。
【実施例１】
【００２６】
本発明の実施例1により、ダイヤルイン先の内線着信を外部ＩＳＤＮの転送先電話機へ転送するシステムについて、図４を参照して説明する。
【００２７】
図４は本発明による電話装置の電話番号状況に対する実施の一形態を示す説明図である。
【００２８】
図示されるように、本システムは、発信側電話機１０、アナログ電話網２０、ＩＳＤＮ３０、構内電話装置５０、および転送先電話機６０により構成される。また、構内電話装置５０は、外線ボード５１、制御部５２、メモリ部５３、内線ボード５４、転送設定内線電話機５５、および内線電話機５６を備えるものとする。
【００２９】
発信側電話機１０は、アナログ電話網２０に収容されて電話番号「０３−１２３４−５６７８」を有し、発呼者により発呼されるものである。アナログ電話網２０は、例えば、収容される発信側電話機１０からの発呼に対して発番号「０３−１２３４−５６７８」を識別し、かつ宛先となる着番号をもって着呼先回線に接続し、これを呼出しする。
【００３０】
ＩＳＤＮ３０は、ＩＳＤＮ回線を介して、一方では構内電話装置５０に接続し、他方では転送先電話機６０を収容する。構内電話装置５０から着番号「０６−７８９１−２３４５」により発呼を受けた際には、構内電話装置５０のＩＳＤＮ回線番号「０３−１２３４−１１１２」を発番号として、発サブアドレスを利用して発呼者および転送元の内線番号を転送する。
【００３１】
構内電話装置５０は、ボタン電話装置、自動構内交換機などで代表され、アナログ電話網２０およびＩＳＤＮ３０に対しダイヤルインサービスが可能であり、内線電話機それぞれが独立したダイヤルイン番号を有しているものとする。構内電話装置５０はダイヤルイン機能を有するため、電話網から着番号として内線番号まで受付けできる。一方、発信者通知サービスでは、回線番号が発番号になるため、アナログ電話網２０への発呼では発番号「０３−１２３４−１１１１」が通知される。また、ＩＳＤＮ３０への発呼では、発番号「０３−１２３４−１１１２」が通知されるが、発サブアドレスによりダイヤルイン用の電話番号が通知できる。転送の際の詳細は後述する。
【００３２】
転送先電話機６０は、ＩＳＤＮ３０に収容され、電話番号「０６−７８９１−２３４５」を有しており、本実施例１ではＩＳＤＮ回線を介して着呼を受ける。
【００３３】
構内電話装置５０の外線ボード５１は、アナログ電話網２０およびＩＳＤＮ３０に対し、それぞれが回線番号を有する加入者回線で接続されている。アナログ電話網２０には回線番号「０３−１２３４−１１１１」が付与され、ＩＳＤＮ３０には回線番号「０３−１２３４−１１１２」が付与されている。制御部５２は発サブアドレスに設定する電話番号を１６進数に変換する機能を有しており、本発明に係る主要機能は後にフローチャートを参照して説明する。
【００３４】
メモリ部５３は内線番号に対応して転送先番号が登録される着信転送テーブルが含まれるものとする。例えば図示されるように、内線番号「０３−１２３４−１１１３」への着呼は転送先番号「０６−７８９１−２３４５」の転送先電話機６０へ転送されるように、テーブル設定されている。内線ボード５４は、転送設定内線電話機５５および内線電話機５６などが接続されており、ダイヤルインのための内線番号を有している。例えば、図示される転送設定内線電話機５５は、内線番号「０３−１２３４−１１１３」であり、内線電話機５６は内線番号「０３−１２３４−１１１４」である。
【００３５】
次に、図５を参照して、本実施例１で利用する発サブアドレス領域の用法について説明する。
【００３６】
まず「オクテット３」では、ＮＳＡＰ、または、本発明で特化される「ユーザ特有プロトコル」が指定される。次いで「オクテット４」で「ＩＡ５キャラクタ」が指定される。従って、発サブアドレスとして利用できる領域は「１９オクテット分」しかない。実施例1では他のユーザ情報にも使用されるＩＡ５キャラクタを設定するが、サブアドレスとして利用可能なキャラクタコードは、７ビットＢＣＴ（Basic Code Table）に準拠する「ＩＡ５キャラクタ」の１９英数文字と、ＢＣＤ（Binary Code Decimal）の４０英数字とであり、何れでもよいと規定されている。
【００３７】
また、図６では、図４に示される発信側電話機番号「０３−１２３４−５６７８」と転送設定内線電話機番号「０３−１２３４−１１１３」とで先頭の「０」を除く１０進数による二つの電話番号の数字番号は１８桁であり、これを１６進数に変換した場合、１６桁となる。二つの桁数が相違することを前提に、両者の間に「ＩＡ５キャラクタ」の一つである「＆」を区切り符号として挿入し「１２９Ｅ０４４Ｅ＆１２９ＤＦ２７９」の１７桁、すなわち１７オクテットで形成することとする。
【００３８】
更に、例えば携帯電話機番号「０９０−」の先頭「０」を除いた例えば最大数値「９０９９９９９９９９」の１０桁数字でも、１６進数では「２１Ｅ６６ＦＡＦＦ」の９桁キャラクタ、すなわち９オクテットで済み、二つの発番号に対して区切り符号を含み、１９オクテットに収まる。
【００３９】
次に、図７に図４を併せ参照して構内電話装置５０の制御部５２の主要動作手順について説明する。
【００４０】
制御部５２は、アナログ電話網２０から着番号「０３−１２３４−１１１３」と発番号「０３−１２３４−５６７８」とを有する着呼を受付け（手順Ｓ１）した際、まず、メモリ部５３の転送設定を着番号「０３−１２３４−１１１３」で検索（手順Ｓ２）する。
【００４１】
この手順Ｓ２が「ＹＥＳ」で、図示されるように、着番号「０３−１２３４−１１１３」への着呼を転送先番号「０６−７８９１−２３４５」へ転送せよとメモリ部５３の着信転送テーブルに設定がある場合、制御部５２は転送先番号からＩＳＤＮ３０への接続と判断（手順Ｓ３のＹＥＳ）する。この場合、制御部５２は、受付けした発番号「０３−１２３４−５６７８」と転送設定内線電話機番号「０３−１２３４−１１１３」とをそれぞれ１６進数に変換（手順Ｓ４）し、区切り符号「＆」を挿入した発番号符号「１２９Ｅ０４４Ｅ＆１２９ＤＦ２７９」の１７桁をＩＡ５キャラクタコードにより発サブアドレス領域の１７オクテットそれぞれに設定（手順Ｓ５）する。
【００４２】
次いで、制御部５２は、転送先番号「０６−７８９１−２３４５」を着番号に設定（手順Ｓ６）し、所定の発呼フォーマットに形成して回線番号「０３−１２３４−１１１２」のＩＳＤＮ回線を介しＩＳＤＮ３０へ送信（手順Ｓ７）する。
【００４３】
ＩＳＤＮ３０では、発呼元電話装置の回線番号「０３−１２３４−１１１２」を発番号として転送先電話機６０に通知する。従って、転送先電話機６０は、発呼元として発番号「０３−１２３４−１１１２」と発サブアドレス領域で通知された転送元の内線番号「０３−１２３４−１１１３」と発呼者の電話機番号「０３−１２３４−５６７８」とを受け、画面表示することができる。
【００４４】
このような実施の形態を採用したので、ＩＳＤＮ回線の発サブアドレスとして二つの発呼側電話番号を設定可能である。一方、通信網は発番号として発呼側の回線番号を設定するので、上述したように、回線番号と転送元電話機番号とが相違する場合、発呼者と転送者との両者の電話番号を被呼者に通知することができるという効果がある。更に、複数回の転送における発信側の電話番号を発サブアドレスに二つまで設定して、着呼側に通知することができるという効果もある。
【００４５】
上記説明では、市外番号を含む１０桁の電話番号で説明したが、発信側電話機が携帯電話機であり、最大１１桁の電話番号の場合でも、上述したように発サブアドレスとして１６進数変換され、ＩＡ５キャラクタコードで設定されるので、所定の１９オクテット領域内に二つの電話番号まで収めることができる。
【００４６】
また、発信側電話機がアナログ電話網に接続していると図示され説明されているが、アナログ電話網がＩＳＤＮであってもよいことは明らかであり、発信側電話網または通信網の種別は上記説明により限定されるものではない。
【実施例２】
【００４７】
次に、図８および図９に図５を併せ参照してＩＳＤＮ回線を接続する被呼者側の加入者装置７０における本発明の実施例１に係る発サブアドレス受信の実施例２について説明する。図４では、この加入者装置は転送先電話機６０に備えられている。
【００４８】
加入者装置７０は、被呼加入者装置として受信信号選択部７１、発サブアドレス領域抽出部７２、ユーザ特有プロトコル情報検出部７３、発サブアドレス変換部７４、および発サブアドレス記録表示部７５とを備える。
【００４９】
受信信号選択部７１は、ＩＳＤＮ回線から着呼を受付け（手順Ｓ２１）した際に、受信信号を選択して発サブアドレス領域抽出部７２に送る。発サブアドレス領域抽出部７２は、受付けした受信信号から発サブアドレス領域を検索（手順Ｓ２２）し、発サブアドレスあり（手順Ｓ２３のＹＥＳ）の場合、発サブアドレス領域のデータをユーザ特有プロトコル情報検出部７３に送る。
【００５０】
ユーザ特有プロトコル情報検出部７３は、発サブアドレス領域の「オクテット３」からユーザ特有プロトコルを検出（手順Ｓ２４のＹＥＳ）し、「オクテット４」からＩＡ５キャラクタを検出（手順Ｓ２５のＹＥＳ）し、更に「オクテット５以降」に区切り符号「＆」を検出（手順Ｓ２６のＹＥＳ）の際には、区切り符号前後のＩＡ５キャラクタコードそれぞれを電話番号符号として発サブアドレス変換部７４へ送る。
【００５１】
発サブアドレス変換部７４は、電話番号符号として受けた１６進数によるＩＡ５キャラクタコードを１０進数に変換（手順Ｓ２７）して発サブアドレス記録表示部７５へ送る。発サブアドレス記録表示部７５は受付けした番号数字を所定のメモリに記録し所定の画面に表示（手順Ｓ２８）する。
【００５２】
上記手順Ｓ２４または手順Ｓ２５が「ＮＯ」で、ユーザ特有プロトコルでない場合、またはユーザ特有プロトコルであるがＩＡ５キャラクタでない場合で、サブアドレスの変換不要の場合は番号符号としてユーザ特有プロトコル情報検出部７３が発サブアドレス記録表示部７５へ直接送る。一方、サブアドレスの変換が必要の場合には、ユーザ特有プロトコル情報検出部７３が発サブアドレス変換部７４へ符号を送り、発サブアドレス変換部７４が指定のプロトコルに基づいてアドレス変換（手順Ｓ２９）して、上記手順Ｓ１８に進む。また、上記手順Ｓ２６が「ＮＯ」で、区切り符号がない場合、電話番号は一つであり、発サブアドレス変換部７４は、受けた１６進数によるＩＡ５キャラクタコードを１０進数に変換（手順Ｓ３０）して発サブアドレス記録表示部７５へ送り、上記手順Ｓ２８に進む。
【００５３】
このような実施の形態を採用し、発サブアドレス領域で「ユーザ特有プロトコル」の設定を検出した際のみ、検索した「ＩＡ５キャラクタコード」を１０進数に変換する機能を追加するので、従来の構成と比較して多大な変更をすることなく、所定の発サブアドレス領域で二つの発信者側電話番号の通知を受付けすることができる。
【実施例３】
【００５４】
本発明の実施例３について図４を参照して説明する。
【００５５】
実施例３では、構内電話装置５０はコールセンターとして機能している。この場合、内線電話機はなく、内線番号それぞれは、例えば「問合せ受付け」「故障相談受付け」「苦情受付け」などである。すなわち、発呼者の目的とする相手先ダイヤル番号は内線番号に相当する。
【００５６】
従って、構内電話装置５０は転送先電話機６０に発信側電話機番号と目的先であるダイヤル番号とが発サブアドレス領域により転送先に送信され、受付け者が画面で確認できる。すなわち転送先では、発呼者番号および発呼者のダイヤル番号を知ることができるので、発呼者番号により発呼者の個人情報の入手、およびダイヤル番号により呼び出し目的それぞれを知ることができる。
【実施例４】
【００５７】
本発明の実施例４について図５を参照して説明する。
【００５８】
実施例４は、ＩＡ５キャラクタの代わりにＢＣＤコードを用いて、１０進数の電話番号を４ビットの１６進数、または５ビットの３２進数に変換し、その桁数を低減し、数字に含まれないコードを区切り符号に設定することにより、発サブアドレス領域に収容する電話番号の数を更に増加させることができる。現状では７ビットまで使用可能なので、区切り符号を考慮しても、桁数の大幅な低減が可能である。
【産業上の利用可能性】
【００５９】
本発明によれば、電話網のような１０進数の電話番号を、１６進数、３２進数などに変換して桁数を低減してサブアドレス領域に設定することにより、限られたアドレス領域に複数の電話番号を設定して送信できるので、１０進数のアドレスを用いる一つの呼接続に複数アドレスの通知を必要とする、着信転送、分散型コールセンターシステムの用途以外、例えば複数着信転送などにも適用できる。また、着サブアドレス領域の複数電話番号の収納においても同様に適用できる。更に、電話装置における電話番号に限定されることなく、限定された桁数の領域に数字番号を設定するような装置の用途に広く適用可能である。
【図面の簡単な説明】
【００６０】
【図１】従来のＩＳＤＮ回線における発サブアドレス設定システムの一例を示した説明図である。
【図２】従来のＩＳＤＮ回線における発サブアドレス領域のフォーマットに係る一例を示した説明図である。
【図３】発サブアドレス領域に設定したい電話番号の合計桁数の一例を示した説明図である。
【図４】本発明のＩＳＤＮ回線での発サブアドレス設定装置におけるブロック構成の実施の一形態を示した説明図である。（実施例１）
【図５】本発明のＩＳＤＮ回線における発サブアドレス領域のフォーマットに係る実施の一形態を示した説明図である。（実施例１）
【図６】図４における発サブアドレス領域に設定する電話番号の合計桁数の一実施例を示した説明図である。（実施例１）
【図７】図４における構内電話装置の主要動作手順に係る実施の一形態を示したフローチャートである。（実施例１）
【図８】本発明のＩＳＤＮ回線で着呼を受付けする加入者装置における関連機能のブロック構成に係る実施の一形態を示した説明図である。（実施例２）
【図９】図８における被呼加入者装置の主要動作手順に係る実施の一形態を示したフローチャートである。（実施例２）
【符号の説明】
【００６１】
１０    発信側電話機
２０    アナログ電話網
３０    ＩＳＤＮ
５０    構内電話装置
５１    外線ボード
５２    制御部
５３    メモリ部
５４    内線ボード
５５    転送設定内線電話機
５６    内線電話機
６０    転送先電話機
７０    加入者装置
７１    受信信号選択部
７２    発サブアドレス領域抽出部
７３    ユーザ特有プロトコル情報検出部
７４    発サブアドレス変換部
７５    発サブアドレス記録表示部
【図１】
2006148771.tif 000003
【図２】
2006148771.tif 000004
【図３】
2006148771.tif 000005
【図４】
2006148771.tif 000006
【図５】
2006148771.tif 000007
【図６】
2006148771.tif 000008
【図７】
2006148771.tif 000009
【図８】
2006148771.tif 000010
【図９】
2006148771.tif 000011